(57)【要約】【課題】電線の拾い漏れをなくして、電線カバーを適切に電線引出部に装着できるようにする。【解決手段】コネクタ１０の電線引出部として機能するマットシールカバー４０に電線カバー５０を装着する構造において、電線カバーの一対の側壁の間隔をマットシールカバー側の外周面４２ａの間隔よりも広めに設定しておき、装着の際に側壁を狭めながら電線カバーをマットシールカバー側に押しつけることで、電線を漏れなく拾えるようにする。また、側壁を狭めた状態で電線カバー５０を装着する際に、ロック手段（ロックアーム４５及びロック部５５ａ）の係合よりも先に、電線カバー側の差し込み部５５ｂをマットシールカバー側の開き止め部４８に差し込めるようにして、ロックをスムーズにできるようにした。【選択図】図２
2011082113.tif 000002
【特許請求の範囲】
【請求項１】
コネクタ等の後部に設けられた電線引出部に、該電線引出部から引き出された電線を覆う電線カバーが着脱自在に装着された電線カバーの装着構造において、
前記電線カバーが、一対の側壁を有する断面Ｕ字状の合成樹脂成形品により構成され、
前記電線引出部の互いに対向する一対の側壁と、該電線引出部の側壁に対応した前記電線カバーの互いに対向する一対の側壁に、相互に係合することで前記電線カバーを前記電線引出部にロックするロック手段が設けられ、
前記電線カバーの自由状態における前記一対の側壁間の間隔が、前記電線引出部の前記一対の側壁間の間隔よりも広く設定され、
一方、前記電線カバーの一対の側壁と前記電線引出部の一対の側壁に、前記電線カバーの側壁間の間隔を電線引出部の側壁間の間隔まで強制的に狭めた状態で、前記ロック手段が係合する前に互いに差し込み可能となり、差し込み状態とすることにより、前記電線カバーの側壁間の間隔を狭めた寸法のまま保持する開き止め手段が設けられていることを特徴とする電線カバーの装着構造。
【請求項２】
前記電線引出部の一対の側壁に対し略垂直な関係にある電線引出部の他の側壁と、前記電線カバーの一対の側壁に対し略垂直な関係にある電線カバーの他の側壁とに、相互に係合することで、その係合箇所を支点にして前記電線カバーを、前記電線引出部に接近する方向と離間する方向とに回動可能に保持する係合手段が設けられ、
一方、前記開き止め手段は、前記ロック手段よりも前記係合手段に対して近い位置に設けられていることを特徴とする請求項１に記載の電線カバーの装着構造。
【発明の詳細な説明】
【技術分野】
【０００１】
本発明は、例えばコネクタハウジングの後端から引き出された電線の束を保護しつつ該電線の束を所定の方向へ誘導するための電線カバーの装着構造に関するものである。
【背景技術】
【０００２】
特許文献１に従来の電線カバーの装着構造の例が提示されている。
この従来の電線カバーの装着構造においては、コネクタハウジングの後部の電線引出部に、該電線引出部から後方へ引き出される電線を覆う電線カバーを装着するにあたり、電線引出部の一対の側壁間の間隔と電線カバーの一対の側壁間の間隔をほぼ等しく設定しておき、電線カバーの一対の側壁を電線引出部の一対の側壁に嵌合させることにより、両者の側壁に設けられているロック手段を相互に係合させるようになっていた。
【先行技術文献】
【特許文献】
【０００３】
【特許文献１】特開平８−１６７４４６号公報
【発明の概要】
【発明が解決しようとする課題】
【０００４】
ところで、電線引出部の背面から引き出される電線の束は必ずしも整然と揃った状態になっているわけではなく、ときに、１本ないし数本の電線が横にはみ出した状態になっていることがある。そうした場合、電線カバーを電線引出部に被せようとした際に、電線の拾い漏れが生じやすくなってしまい、電線カバーと電線引出部の間に電線を噛み込んで、電線カバーを適切に装着できくなることがある。
【０００５】
本発明は、上述した事情に鑑みてなされたものであり、その目的は、電線の拾い漏れをなくして、電線カバーを適切に電線引出部に装着できるようにした電線カバーの装着構造を提供することにある。
【課題を解決するための手段】
【０００６】
前述した目的を達成するために、本発明に係る電線カバーの装着構造は、下記（１）〜（２）を特徴としている。
（１）  コネクタ等の後部に設けられた電線引出部に、該電線引出部から引き出された電線を覆う電線カバーが着脱自在に装着された電線カバーの装着構造において、
前記電線カバーが、一対の側壁を有する断面Ｕ字状の合成樹脂成形品により構成され、
前記電線引出部の互いに対向する一対の側壁と、該電線引出部の側壁に対応した前記電線カバーの互いに対向する一対の側壁に、相互に係合することで前記電線カバーを前記電線引出部にロックするロック手段が設けられ、
前記電線カバーの自由状態における前記一対の側壁間の間隔が、前記電線引出部の前記一対の側壁間の間隔よりも広く設定され、
一方、前記電線カバーの一対の側壁と前記電線引出部の一対の側壁に、前記電線カバーの側壁間の間隔を電線引出部の側壁間の間隔まで強制的に狭めた状態で、前記ロック手段が係合する前に互いに差し込み可能となり、差し込み状態とすることにより、前記電線カバーの側壁間の間隔を狭めた寸法のまま保持する開き止め手段が設けられていること。
（２）  上記（１）の構成の電線カバーの装着構造において、
前記電線引出部の一対の側壁に対し略垂直な関係にある電線引出部の他の側壁と、前記電線カバーの一対の側壁に対し略垂直な関係にある電線カバーの他の側壁とに、相互に係合することで、その係合箇所を支点にして前記電線カバーを、前記電線引出部に接近する方向と離間する方向とに回動可能に保持する係合手段が設けられ、
一方、前記開き止め手段は、前記ロック手段よりも前記係合手段に対して近い位置に設けられていること。
【０００７】
上記（１）の構成の電線カバーの装着構造によれば、予め自由状態のときの電線カバーの側壁間の間隔が、電線引出部の側壁間の間隔よりも広くなっているので、この電線カバーを電線引出部に装着する際に、広く開いた状態の電線カバーの一対の側壁の内側に、横にはみ出しそうな状態の電線を拾いながら、電線カバーを電線引出部に近づけて行くことができる。しかも漏れなく電線を拾った状態で、電線カバーの側壁間の間隔を電線引出部の側壁間の間隔と同じになるまで狭めながら、開き止め手段を互いに差し込み状態にすることにより、電線カバーの側壁間の間隔を狭めた寸法のまま保持しておくことができるので、そのままの状態で電線カバーと電線引出部の両側壁に設けたロック手段を相互に係合させることにより、電線カバーを電線引出部に確実にロックさせることができる。従って、電線カバーを装着する際の電線の拾い漏れを防ぐことができ、電線の噛み込みを避けながら、電線カバーを適切に電線引出部に装着することができる。
上記（２）の構成の電線カバーの装着構造によれば、まず、電線引出部の一対の側壁に対し略垂直な関係にある電線引出部の他の側壁と、前記電線カバーの一対の側壁に対し略垂直な関係にある電線カバーの他の側壁とに設けた係合手段を相互に係合させることにより、その係合箇所を支点にして電線カバーを回動させながら電線引出部に装着することができる。しかも、その回動過程において先に開き止め手段を互いに差し込み状態にしながら、次の段階としてロック手段を係合させることができるので、スムーズなロックを行うことができる。
【発明の効果】
【０００８】
本発明によれば、電線引出部から引き出された電線の中に横にはみ出しそうな電線がある場合にも、そのような電線を漏れなく拾いながら、電線カバーを適切に電線引出部に装着することができる。
【０００９】
以上、本発明について簡潔に説明した。更に、以下に説明される発明を実施するための形態を添付の図面を参照して通読することにより、本発明の詳細は更に明確化されるであろう。
【図面の簡単な説明】
【００１０】
【図１】本発明の実施形態の電線カバーの装着構造が適用されたコネクタユニットの前側から見た分解斜視図である。
【図２】同コネクタユニットの後側から見た分解斜視図である。
【図３】同コネクタユニットの全体組立状態を示す側断面図であり、マットシールカバーと電線カバーのロック部分の構成が分かる断面図である。
【図４】電線カバーの電線ガイド部の方向から見た図である。
【図５】コネクタハウジングに装着してあるマットシールカバーに電線カバーを装着しようとしている状態を示す上から見た平面図である。
【図６】電線カバーの側端に設けてある係合部をマットシールカバーの側端に設けてある係合部に係合させ、その状態で電線カバーを矢印のように回動させて、電線カバーをマットシールカバーに装着しようとしている状態を示す平面図である。
【図７】図６の状態を電線カバーの斜め後方から見た斜視図である。
【図８】電線カバーの上下の側壁間の間隔を狭めて、マットシールカバー側の開き止めに対し電線カバー側の差し込み部を差し込もうとしている状態を示す図７と同様の方向から見た斜視図である。
【図９】図８の状態の次の段階として、電線カバー側のロック部をマットシールカバー側のロックアームに係合させて、電線カバーをマットシールカバー（電線引出部に相当）に装着した状態を示す斜視図である。
【図１０】（ａ）及び（ｂ）は、それぞれ図７と図８の状態をワイヤーハーネスの誘導方向（電線ガイド部側）から見た図である。
【図１１】本実施形態に対する比較例として、開き止め手段（開き止め部及び差し込み部）がない場合を示す図で、横にはみ出した電線を電線カバーの側壁で拾い切れないことがあり得ることを示す斜視図である。
【図１２】図１１の状態を別の方向から見た図である。
【図１３】電線カバーをマットシールカバーに適切に装着し、ワイヤーハーネスを結束バンドで電線カバーの電線ガイド部に締め付けた状態を示す平面図である。
【図１４】電線カバーの別の問題を説明するための平面図である。
【図１５】図１４で示した問題を解決するための工夫（切欠を設けたこと）を盛り込んだ別の実施形態の電線カバーの上から見た平面図である。
【図１６】図１５の電線カバーをコネクタに装着した状態を示す平面図である。
【図１７】（ａ）及び（ｂ）は、図１５の工夫を盛り込んだことにより、図１４に示した問題が解決されるようになったことを示すための説明図である。
【発明を実施するための形態】
【００１１】
以下、本発明の各実施形態を図面を参照して説明する。
図１〜図１３は本発明の実施形態の説明図であり、図１は実施形態の電線カバーの装着構造が適用されたコネクタユニットの前側から見た分解斜視図、図２は同コネクタユニットの後側から見た分解斜視図、図３は同コネクタユニットの全体組立状態を示す側断面図であり、マットシールカバーと電線カバーのロック部分の構成が分かる断面図、図４は電線カバーの電線ガイド部の方向から見た図、図５はコネクタハウジングに装着してあるマットシールカバーに電線カバーを装着しようとしている状態を示す上から見た平面図、図６は電線カバーの側端に設けてある係合部をマットシールカバーの側端に設けてある係合部に係合させ、その状態で電線カバーを矢印のように回動させて、電線カバーをマットシールカバーに装着しようとしている状態を示す平面図、図７は図６の状態を電線カバーの斜め後方から見た斜視図、図８は電線カバーの上下の側壁間の間隔を狭めて、マットシールカバー側の開き止めに対し電線カバー側の差し込み部を差し込もうとしている状態を示す図７と同様の方向から見た斜視図、図９は図８の状態の次の段階として、電線カバー側のロック部をマットシールカバー側のロックアームに係合させて、電線カバーをマットシールカバー（電線引出部に相当）に装着した状態を示す斜視図、図１０（ａ）及び（ｂ）は、それぞれ図７と図８の状態をワイヤーハーネスの誘導方向（電線ガイド部側）から見た図、図１１は本実施形態に対する比較例として開き止め手段（開き止め及び差し込み部）がない場合を示す図で、横にはみ出した電線を電線カバーの側壁で拾い切れないことがあり得ることを示す斜視図、図１２は図１１の状態を別の方向から見た図、図１３は電線カバーをマットシールカバーに適切に装着し、ワイヤーハーネスを結束バンドで電線カバーの電線ガイド部に締め付けた状態を示す平面図である。
【００１２】
図１及び図２に分解して示す、本実施形態の電線カバーの装着構造が適用されたコネクタユニットは、合成樹脂の成形品よりなるコネクタハウジング１０Ａの中に多数の端子（図示略）を収容して構成した多芯型のコネクタ１０と、コネクタハウジング１０Ａの外側に回動可能に装着されて、コネクタ１０を図示略の相手側のコネクタと嵌合する際に、矢印Ａ方向に回動操作されることで、てこの原理により、小さな回動操作力で大きな嵌合力を生じさせて、両コネクタの嵌合をスムーズに行わせる合成樹脂の成形品よりなるレバー２０と、コネクタハウジング１０Ａの後部に嵌め込まれて、コネクタハウジング１０Ａに収容した各端子から延びる電線とコネクタハウジング１０Ａとの隙間をシールするゴム製または柔軟樹脂製のマットシール３０と、コネクタハウジング１０Ａの後部に嵌合固定されて、マットシール３０を後側から押圧しつつ脱落防止する合成樹脂製のマットシールカバー（後述するように、このマットシールカバー４０がコネクタの電線引出部に相当する部分となる）４０と、マットシールカバー４０に装着されて、該マットシールカバー４０の後側から引き出された電線の束を保護しつつ該電線の束を所定の方向へ誘導するための合成樹脂の成形品よりなる電線カバー５０と、からなる。
【００１３】
コネクタハウジング１０Ａは、図１に示すように、内周側のコネクタ主体部１１と、その外周側のフード部１２と、後端の筒壁部１３とを有する。フード部１２は、相手コネクタのコネクタハウジングの嵌合筒壁の外周に嵌合する部分、コネクタ主体部１１は、相手コネクタのコネクタハウジングの嵌合筒壁の内周に嵌合する部分であり、図３に示すように、フード部１２の後端は、コネクタ主体部１１の後端及び筒壁部１３の前端に結合されている。また、フード部１２の上部には、相手コネクタと嵌合した際に、相手コネクタ側のロック部とロックするロック機構１４が設けられている。また、コネクタハウジング１０Ａのコネクタ主体部１１の前部にはフロントホルダ１８が装着され、コネクタ主体部１１の前後方向の中間部の空間には、端子の抜け防止用のサイドスペーサ１９が装着されている。
【００１４】
図１に示すように、レバー２０は、左右一対の側板部２１と、それら側板部２１を連結する連結アーム部２２とを有する略コ字状のもので、コネクタハウジング１０Ａのフード部１２の両サイド外面に突設したボス１６に側板部２１に形成した取付孔２６を嵌めることで、コネクタハウジング１０Ａの上側に、上下方向及び前後方向に回動可能に設けられており、相手コネクタとの嵌合前は、図示の斜め後方に倒れた状態の仮係止位置に保持されている。そして、コネクタ嵌合の際に、相手コネクタのハウジングに突設した凸部（図示略）を、レバー２０の側板部２１の周縁とコネクタハウジング１０Ａのフード部１２の前端に設けた入口２７、１７から、カム溝２５の一端に受け入れた状態で、レバー２０を図１中の矢印Ａ方向に回動させることにより、カム溝２５の作用によって、カム溝２５に沿ってスライドする凸部を介して、相手コネクタを、当該コネクタ１０側に引き込んで、両コネクタを嵌合させることができるようになっている。
【００１５】
図２及び図３に示すように、コネクタハウジング１０Ａの後部に設けられた筒壁部１３は、後面が開放し、背面から見た形状が略四角形のもので、その内部の空間１３ａがマットシール３０を収容する空間になっている。筒壁部１３の互いに対向する上壁部分と下壁部分の外周には、マットシールカバー４０をロックするための複数のロック凸部１５が設けられている。
【００１６】
マットシールカバー４０は、図１及び図２に示すように、コネクタハウジング１０Ａの筒壁部１３の外周に嵌まる筒状周壁４１と、筒壁部１３の内側の空間１３ａに前半部分が嵌まることで、マットシール３０を前方に向けて押圧支持する肉厚の押圧面板部４２と、筒状周壁４１の後端縁と押圧面板部４２の前後方向の中間部分の外周とを結合することで、押圧面板部４２の前半部分と筒状周壁４１との間に、コネクタハウジング１０Ａの筒壁部１３の後端が挿入される環状溝４６を確保する連結壁部４４と、を有するものである。押圧面板部４２には、電線をそれぞれ引き出すために各端子の位置に対応して配された多数の電線引出孔が設けられている。また、筒状周壁４１の上壁部分と下壁部分には、マットシールカバー４０をコネクタハウジング１０Ａの筒壁部１３に組み付けた際に、コネクタハウジング１０Ａ側のロック凸部１５に係合するロック部４３が設けられている。このマットシールカバー４０をコネクタハウジング１０Ａの後部に装着した際には、このマットシールカバー４０の後面から後方に電線が引き出されることになるので、マットシールカバー４０がコネクタ１０の電線引出部に相当する部分となる。
【００１７】
本実施形態では、このマットシールカバー（電線引出部に相当する）４０に電線カバー５０が装着固定されるようになっており、マットシールカバー４０の筒状周壁４１の上壁部と下壁部の後端縁の一部に、連結壁部４４から切り離された状態で、電線カバー５０をロックするための帯板状のロックアーム（ロック手段）４５が突設されている。
【００１８】
このロックアーム４５は、基端４５ａが筒状周壁４１に一体に結合されると共に、自由端である先端４５ｂが、押圧面板部４２の後半部分の外周面４２ａに沿って後方へ延ばされて、押圧面板部４２の後半部分の外周面４２ａと交差する方向に撓み可能とされており、その自由端である先端４５ｂの内面には、電線カバー５０の側壁５１ａに設けられたロック部５５ａと係合する係合凸部４５ｃが設けられている。また、係合凸部４５ｃの先端面には、電線カバー５０側のロック部５５ａの挿入を容易にする斜面４５ｄが設けられている。
【００１９】
また、マットシールカバー４０の筒状周壁４１上の、ロックアーム４５の基端４５ａが連結された部分の、ロックアーム４５の幅方向両側の位置には、筒状周壁４１の後端縁からロックアーム４５を切り離すことで、ロックアーム４５の実質的な撓み部分の長さを延長して、ロックアーム４５を撓みやすくする一対の第１スリット４５ｅが設けられている。
【００２０】
これら一対の第１スリット４５ｅは、筒状周壁４１の後端縁から、筒状周壁４１の後端縁と前端縁の中間位置まで切り込み形成されており、それにより、ロックアーム４５が、それら第１スリット４５ｅの切り込み方向の奥端付近の位置を支点にして外方に撓み可能とされている。このように構成されたロックアーム４５は、押圧面板部４２の外周面４２ａのうち上下に対向する外壁面（互いに対向する一対の側壁に相当）に位置している。
【００２１】
一方、図１に示すように、電線カバー５０は、内部に電線を誘導するための空間を持つ略半筒形状のもので、上下一対の側壁５１ａを有した半筒状（断面Ｕ字状）の主カバー部５１と、その半筒状の主カバー部５１の一端側を塞ぐように設けられた端壁部（他の側壁に相当）５２と、半筒状の主カバー部５１の他端に延設されて電線の引き出し方向を案内する半筒状の電線ガイド部５３とを備えている。電線ガイド部５３は、主カバー部５１に受け入れた電線の束を、主カバー部５１の側方へ湾曲させつつ誘導する部分であり、その長さ方向の端部には、電線結束バンドの通し孔５４が設けられている。
【００２２】
また、主カバー部５１の上下の両側壁５１ａには、マットシールカバー４０に電線カバー５０を装着した際にマットシールカバー４０と連結するための幅広のロック板５５が設けられており、このロック板５５の電線ガイド部５３側に、マットシールカバー４０側のロックアーム４５と係合するロック部５５ａが設けられている。また、ロック板５５の電線ガイド部５３側と反対側の部分は、マットシールカバー４０の押圧面板部４２の上下の外周面にロックアーム４５と並べて設けられた開き止め部（開き止め手段）４８に差し込まれる差し込み部（開き止め手段）５５ｂとなっている。
【００２３】
ここで、図４に示すように、電線カバー５０の主カバー部５１の上下一対の両側壁５１ａの間隔Ｈ２は、マットシールカバー４０の押圧面板部４２の上下の外周面（側壁）４２ａ間の幅よりも開き気味になっており、電線カバー５０を装着する際に多数の電線を拾いやすくなっている。また、上下一対のロック板５５も、側壁５１ａの開き具合に伴って、マットシールカバー４０の上下のロックアーム４５の間隔よりも開き気味になっており、そのままではロックアーム４５にロック部５５ａを係合しにくいので、一対のロック板５５の間隔を狭めながら差し込み部５５ｂを開き止め部４８に差し込むことにより、ロック板５５の間隔を狭めた寸法に保ちながら、ロック部５５ａをロックアーム４５に係合させることができるようになっている。
【００２４】
なお、このロック部５５ａは、電線カバー５０の装着時に、ロックアーム４５の係止凸部４５ｃと衝合することで、ロックアーム４５を外方に押し開きながら進み、係止凸部４５ｃを越えた段階でロックアーム４５が初期の内方位置に弾性復帰することでロックアーム４５の係合凸部４５ｃと係合して、それにより、電線カバー５０の装着方向と逆方向への移動を規制する機能を果たす部分である。
【００２５】
ここで、図２に示すように、マットシールカバー４０側の開き止め部４８は、押圧面板部４２の上下の外周面に対し所定の隙間を持って対向するように連結壁部４４から庇状に延設された押え板部４８ａと、その一端を押圧面板部４２の外周面に連結することで、押え板部４８ａを補強する補強壁部４８ｂとからなり、電線カバー５０のロック板５５を差し込む後方正面から見ると略Ｌ字状をなしている。
【００２６】
また、図１に示すように、電線カバー５０の端壁部（他の側壁に相当）５２の先端と、それに対応するマットシールカバー４０の押圧面板部４２の左右片方の外周面（他の側壁に相当）には、電線カバー５０を装着する際に互いに係合して装着の際の回動支点となる係合部（係合手段）５２ａ、４７がそれぞれ設けられている。従って、開き止め手段である開き止め部４８及び差し込み部５５ｂは、ロック手段であるロックアーム４５及びロック部５５ａよりも係合部５２ａ、４７に近い位置に位置しており、電線カバー５０を回動させてマットシールカバー４０に装着する際に、ロック部５５ａとロックアーム４５が掛かり合うよりも先に、差し込み部５５ａが開き止め部４７に差し込みを開始するようになっている。
【００２７】
次に作用を説明する。
図１及び図２に示すコネクタユニットを組み立てる場合は、コネクタ１０を構成するコネクタハウジング１０Ａにレバー２０を組み付け、コネクタハウジング１０Ａの後部の筒壁部１３の内周側にマットシール３０を嵌め込んで、マットシール３０を押圧しながら、マットシールカバー４０をコネクタハウジング１０Ａの後部に装着固定する（図３参照）。この際、マットシールカバー４０のロック部４３がコネクタハウジング１０Ａ側のロック凸部１５に係合することで、マットシールカバー４０がコネクタハウジング１０Ａに固定される。この状態において、マットシールカバー４０の押圧面板部４２の電線引出孔から後方へ多数の電線が引き出された形になる。
【００２８】
次に、図５及び図６に示すように、電線カバー５０の端壁部５２の係合部５２ａをマットシールカバー４０の側面の係合部４７に係合させ、マットシールカバー４０の後方に引き出されている電線を内側の空間に入るように拾いながら、係合部５２ａ、４７同士の係合箇所を支点にして、電線カバー５０を矢印Ｂで示すようにマットシールカバー４０側に回動させる。その際、最初は、図７及び図１０（ａ）に示すように、電線カバー５０の両側壁５１ａを自由な状態で開き気味に保ったまま、電線Ｗを漏れなく拾い集める。全部の電線Ｗを拾えたら、図８及び図１０（ｂ）に示すように、外側から側壁５１ａに矢印Ａ方向の押圧力を加えながら、徐々に両側壁５１ａの間隔を狭めて行き、その状態のままロック板５５の差し込み部５５ｂを、マットシールカバー４０開き止め部４８に差し込む。
【００２９】
その状態で更に電線カバー５０を回動させると、図９に示すように、電線カバー５０のロック部５５ａがロックアーム４５の先端に掛かり、ロックアーム４５を外側に撓ませながら、更に電線カバー５０を回動させると、電線カバー５０がマットシールカバー４０に適正に装着された段階で、図３に示すように、ロック部５５ａがロックアーム４５の係合凸部４５ｃに係合し、電線カバー５０が脱落しないようにロックされる。
【００３０】
以上の説明のように、この実施形態のコネクタユニットに適用した電線カバーの装着構造によれば、予め自由状態のときの電線カバー５０の側壁５１ａ間の間隔Ｈ２（図４参照）が、マットシールカバー４０（電線引出部）の押圧面板部４２の外周面４２ａの上下壁（側壁に相当）間の間隔Ｈ１よりも広くなっているので、この電線カバー５０をマットシールカバー４０に装着する際に、広く開いた状態の電線カバー５０の一対の側壁５１ａの内側に、横にはみ出しそうな状態の電線Ｗを拾いながら、電線カバー５０をマットシールカバー４０に近づけて行くことができる。しかも漏れなく電線Ｗを拾った状態で、電線カバー５０の側壁５１ａ間の間隔をマットシールカバー４０の押圧面板部４２の上下外壁面間の間隔と同じになるまで狭めながら、開き止め手段（開き止め部４８及び差し込み部５５ｂ）を互いに差し込み状態にすることにより、電線カバー５０の側壁５１ａ間の間隔を狭めた寸法のまま保持しておくことができるので、そのままの状態で、電線カバー５０とマットシールカバー４０に設けたロックアーム４５及びロック部５５ａを相互に係合させることにより、電線カバー５０をマットシールカバー４０に確実にロックさせることができる。従って、電線カバー５０を装着する際の電線の拾い漏れを防ぐことができ、電線の噛み込みを避けながら、電線カバー５０を適切にマットシールカバー４０に装着することができる。
【００３１】
因みに、開き止め部４８がない場合を考えてみると、図１１及び図１２に示すように、電線カバー５０Ｘをマットシールカバー４０Ｘに装着する際にいきなり、ロックアーム４５にロック板５５のロック部５５ａを係合させなければならないので、操作が難しくなるおそれがある。また、電線カバー５０の側壁５１ａ間の間隔が、従来のように電線引出部の側壁間（マットシールカバー４０の押圧面板部４２の外周面のうち上下壁部間に相当）の間隔とほぼ等しい場合には、横にはみ出している電線Ｗｘをカバー装着の際に噛み込みやすくなる。本実施形態によれば、そういう問題の解消を図ることができる。
【００３２】
また、本実施形態の場合、電線カバー５０を、図５〜図９に示したように、回動させながらマットシールカバー４０に装着することができると共に、その回動過程において、先に開き止め手段（開き止め部４８及び差し込み部５５ｂ）を互いに差し込み状態にしながら、次の段階としてロック手段（ロックアーム４５及びロック部５５ａ）を係合させることができるので、スムーズな装着及びロックを行うことができる。
【００３３】
以上のように電線カバー５０を取り付けて、電線Ｗの束（以下、ワイヤーハーネスＷという）を所定の方向（コネクタの正面方向から見て横方向）に誘導させることができるようになったら、図１３に示すように、ワイヤーハーネスＷを結束バンド９０を用いて電線カバー５０の電線ガイド５３の先端部に固定する。これにより、ワイヤーハーネスＷの端末とコネクタユニットの組み付けが完了する。
【００３４】
ところで、このように組み上げた部品を車載した際、車両振動等によりワイヤーハーネスＷに曲げ方向の大小の外力がかかることがある。そうすると、電線カバー５０の電線ガイド部５３の柔軟性が小さい場合、図１４に示すように、電線カバー５０の電線ガイド部５３から出た直後の部分（矢印Ｐ１で示す部分）でワイヤーハーネスＷが屈曲しがちになりやすい。
【００３５】
しかし、このように局部的にワイヤーハーネスＷに屈曲が起き、しかも、それが電線カバー５０を出た直後の部分で起こると、ワイヤーハーネスＷや電線カバー５０に無理な負荷が加わるおそれがある。
【００３６】
その対策を講じた電線カバーが、図１５及び図１６に示す電線カバー５０Ｂである。
この電線カバー５０Ｂでは、半円筒状の電線ガイド部５３Ｂの側壁部分の周方向長さを短くしていると共に、主カバー部５１の側壁５１ａから電線ガイド部５３Ｂの側壁への移行部（境界）の縁部に、該移行部の屈曲性を増すための切欠５９を設けている。
【００３７】
この電線カバー５０Ｂを用いた場合、図１７（ａ）、（ｂ）に示すように、主カバー部５１の側壁５１ａから電線ガイド部５３Ｂの側壁部分への移行部（境界）に切欠５９を設けたことにより、矢印Ｐ２で示す箇所の屈曲性が増すことになり、電線ガイド部５３Ｂが柔軟に変形できるようになる。従って、車載時の振動などにより、電線カバー５０Ｂから引き出されたワイヤーハーネスＷに、例えば、矢印Ｆで示すような方向の外力が働いても、電線ガイド部５３Ｂが柔軟に追従することになり、振動吸収性能を発揮して、ワイヤーハーネスＷや電線カバー５０Ｂにかかる負荷を軽減することができる。
【００３８】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００３９】
また、上記各実施形態では、コネクタの後部に装着したマットシールカバーと電線カバーの間に本発明を適用した場合を説明したが、マットシールカバーを使用しない場合には、コネクタの電線引出部と電線カバーの間に本発明を適用することもできる。また、本発明は、ジャンクションブロックやリレーブロック等の電線引出部と電線カバーとの間にも適用できる。
【符号の説明】
【００４０】
１０Ａ  コネクタハウジング
４０  マットシールカバー（電線引出部）
４２ａ  押圧面板部の外周面（側壁）
４５  ロックアーム（ロック手段）
５０，５０Ｂ  電線カバー
５１  主カバー部
５１ａ  側壁
５２  端壁部（他の側壁）
５２ａ  係合部（係合手段）
５３Ｂ  電線カバー部
５５ａ  ロック部（ロック手段）
５５ｂ  差し込み部（開き防止手段）
５９  切欠
【図１】
2011082113.tif 000003
【図２】
2011082113.tif 000004
【図３】
2011082113.tif 000005
【図４】
2011082113.tif 000006
【図５】
2011082113.tif 000007
【図６】
2011082113.tif 000008
【図７】
2011082113.tif 000009
【図８】
2011082113.tif 000010
【図９】
2011082113.tif 000011
【図１０】
2011082113.tif 000012
【図１１】
2011082113.tif 000013
【図１２】
2011082113.tif 000014
【図１３】
2011082113.tif 000015
【図１４】
2011082113.tif 000016
【図１５】
2011082113.tif 000017
【図１６】
2011082113.tif 000018
【図１７】
2011082113.tif 000019